(57)【要約】【課題】複数の記録媒体のそれぞれの特徴を生かせるように、記録媒体を自動選択して撮影画像データを記録することができる電子カメラを提供する。【解決手段】本発明によるカメラ１０は、特性（記録速度、容量など）の異なる複数の記録媒体４６、４８を同時に装着できる。カメラ１０のＣＰＵ１２は、各記録媒体４６、４８の種別を認識し、それぞれの記録容量を確認する。ユーザが静止画の記録モードを選択した時には小容量の記録媒体４６に撮影画像データを記録し、動画の記録モードを選択した時には大容量の記録媒体４８に動画データを記録するように、ＣＰＵ１２は記録媒体を自動的に切り換える制御を行う。また、ユーザが高画素かつ低圧縮率（高画質）の記録モードを選択したときには、大容量の記録媒体４８に記録し、ファイルサイズの小さい低画質のモードが選択された場合には小容量の記録媒体に記録するように記録媒体を自動選択する。【選択図】    図１
2004229172.tif 000002
【特許請求の範囲】
【請求項１】
撮影によって取得した画像のデータを記録する媒体として、特性の異なる複数の記録媒体を使用できる電子カメラであって、
当該電子カメラに同時搭載される前記複数の記録媒体の特性を認識する特性認識手段と、
前記データの記録条件を設定する設定操作手段と、
前記特性認識手段で認識された各記録媒体の特性及び前記設定操作手段で設定された記録条件に基づいて前記複数の記録媒体のうち前記データを記録すべき記録媒体を自動選択する媒体選択手段と、
前記媒体選択手段によって選択された記録媒体に前記データを記録する処理を行う記録処理手段と、
を備えたことを特徴とする電子カメラ。
【請求項２】
動画と静止画を記録可能な電子カメラであって、
前記特性認識手段は、前記複数の記録媒体の空き容量を検出する容量検出手段を含み、
前記設定操作手段は、動画記録を行う動画モードと静止画記録を行う静止画モードとを切り換えるモード選択手段を含み、
前記媒体選択手段は、前記複数の記録媒体のうち空き容量の大きい記録媒体に動画データを記録するように記録媒体を選択することを特徴とする請求項１記載の電子カメラ。
【請求項３】
前記特性認識手段は、前記複数の記録媒体の空き容量を検出する容量検出手段を含み、
前記設定操作手段は、記録画素数及び圧縮率のうち少なくとも１つの条件を設定する手段を含み、
前記媒体選択手段は、前記設定操作手段で設定される記録条件に従って生成されるデータのサイズに応じて、前記複数の記録媒体のうち空き容量の大きい記録媒体に比較的大きなサイズのデータを記録するように記録媒体を選択することを特徴とする請求項１記載の電子カメラ。
【請求項４】
前記特性認識手段は、前記複数の記録媒体の記録速度を認識する手段を含み、
前記設定操作手段は、動画記録を行う動画モード及び静止画の連続記録を行う連写モードのうち少なくとも１つのモードを選択できるモード選択手段を含み、
前記媒体選択手段は、前記設定操作手段によって前記動画モード又は前記連写モードが選択されると、前記複数の記録媒体のうち記録速度の速い記録媒体にデータを記録するように記録媒体を選択することを特徴とする請求項１記載の電子カメラ。
【発明の詳細な説明】
【０００１】
【発明の属する技術分野】
本発明は被写体の光学像を電気信号に変換する撮像手段を備えた電子カメラに係り、特に複数の記録媒体に画像データを記録可能な電子カメラに関する。
【０００２】
【従来の技術】
特許文献１には、複数の記録媒体に画像を記録し得る記録装置が開示されている。同文献１に示された装置は輪転式カメラと呼ばれる撮影装置であり、２つのカメラユニットを有し、記録媒体としてのマイクロフイルムの残量を検出して、フイルム残量が所定量以下になったときに記録用のカメラを自動的に切り換えるように制御される。
【０００３】
また、特許文献２には、複数の記録媒体を装着可能なデジタルカメラにおいて、記録容量の異なる２つの記録媒体が装着されている場合に、記録しようとする画像のデータサイズの大小に応じてデータの保存先を自動的に選択する技術が開示されている。
【０００４】
【特許文献１】
特開平８−４３９５２号公報
【０００５】
【特許文献２】
特開２００１−２４５２４８号公報
【０００６】
【発明が解決しようとする課題】
しかしながら、記録媒体にはそれぞれ特性があり、複数の記録媒体を挿入可能なダブルスロットにそれぞれ特徴の異なる記録媒体が挿入されたときには、目標のカメラ性能を達成できないことが想定される。例えば、記録速度の極めて遅い記録媒体に対して直接動画を記録するときなどは、一定記録速度以上で記録されないと画質が劣化する。また、静止画を記録するときについても、記録処理が遅く、次の撮影までの間隔（記録間隔）が長くなり、シャッターチャンスを逃してしまう。
【０００７】
一方、記録容量が少ない記録媒体を使用するときには、動画の記録時間が短くなるとともに、低圧縮かつ高画素のデータ量の大きい画像は記録枚数が少なくなる。このように、装着される記録媒体によっては目標のカメラ性能を十分に引き出せないことが考えられる。
【０００８】
本発明はこのような事情に鑑みてなされたもので、複数の記録媒体のそれぞれの特徴を生かせるように、状況に応じて保存メディアを自動選択して撮影画像データを記録することができる電子カメラを提供することを目的とする。
【０００９】
【課題を解決するための手段】
本発明は前記目的を達成するために、撮影によって取得した画像のデータを記録する媒体として、特性の異なる複数の記録媒体を使用できる電子カメラであって、当該電子カメラに同時搭載される前記複数の記録媒体の特性を認識する特性認識手段と、前記データの記録条件を設定する設定操作手段と、前記特性認識手段で認識された各記録媒体の特性及び前記設定操作手段で設定された記録条件に基づいて前記複数の記録媒体のうち前記データを記録すべき記録媒体を自動選択する媒体選択手段と、前記媒体選択手段によって選択された記録媒体に前記データを記録する処理を行う記録処理手段と、を備えたことを特徴とする。
【００１０】
本発明の電子カメラは、特性の異なる複数の記録媒体を同時に搭載し、これら複数の記録媒体に撮影画像のデータを選択的に記録することができる。記録媒体は、カメラに内蔵された固定媒体（内部メモリなど）であってもよいし、カメラに着脱可能な可搬型媒体（リムーバブルメディア）であってもよく、複数の記録媒体のうち一方を固定媒体、他方を可搬型媒体とする態様も可能である。記録媒体の特性には、例えば、記録速度、容量、書き換え可能（リライタブル）であるか書き換え不能（ライトワンス）であるか、などが含まれる。
【００１１】
本発明では、カメラに取り付けられた記録媒体についてそれぞれの特性を特性認識手段によって把握する一方、設定操作手段から指定されるデータの記録条件を参照し、媒体の特性や記録データの特徴に応じて媒体選択手段が記録媒体を自動的に切り換えるようになっている。そして、設定操作手段によって指定された記録条件に従って生成された撮影画像のデータは媒体選択手段により自動選択された記録媒体に書き込まれる。
【００１２】
このように、本発明によれば、記録媒体の特性や記録データの特徴に応じて記録媒体が自動的に選択される構成にしたので、ユーザが意識することなく、各記録媒体のメリットを生かしてデータを記録することが可能となる。
【００１３】
本発明の一態様に係る電子カメラは、動画と静止画を記録可能な電子カメラであって、前記特性認識手段は、前記複数の記録媒体の空き容量を検出する容量検出手段を含み、前記設定操作手段は、動画記録を行う動画モードと静止画記録を行う静止画モードとを切り換えるモード選択手段を含み、前記媒体選択手段は、前記複数の記録媒体のうち空き容量の大きい記録媒体に動画データを記録するように記録媒体を選択することを特徴とする。
【００１４】
動画データは静止画データに比べて相対的にデータ量が大きくなる傾向があるので、動画データは大容量の記録媒体に記録し、静止画などの比較的データ容量の少ないデータは小容量の記録媒体に記録することが好ましい。
【００１５】
本発明の他の態様によれば、前記特性認識手段は、前記複数の記録媒体の空き容量を検出する容量検出手段を含み、前記設定操作手段は、記録画素数及び圧縮率のうち少なくとも１つの条件を設定する手段を含み、前記媒体選択手段は、前記設定操作手段で設定される記録条件に従って生成されるデータのサイズに応じて、前記複数の記録媒体のうち空き容量の大きい記録媒体に比較的大きなサイズのデータを記録するように記録媒体を選択することを特徴とする。
【００１６】
記録画素数や圧縮率は、記録画像の再現品質に影響を与えるパラメータであり、記録画素数が大きいほど、また圧縮率が低いほどデータサイズは大きくなるが、高品質な画像を得ることができる。設定操作手段によって、記録画素数及び圧縮率のうち少なくとも１つの条件を可変設定できる構成においては、記録データのデータサイズを判断して、データサイズが比較的に大きなデータについては大容量の記録媒体に記録する一方、データサイズが比較的に小さいデータについては小容量の記録媒体に記録するように記録媒体を選択する態様が好ましい。
【００１７】
本発明の更に他の態様によれば、前記特性認識手段は、前記複数の記録媒体の記録速度を認識する手段を含み、前記設定操作手段は、動画記録を行う動画モード及び静止画の連続記録を行う連写モードのうち少なくとも１つのモードを選択できるモード選択手段を含み、前記媒体選択手段は、前記設定操作手段によって前記動画モード又は前記連写モードが選択されると、前記複数の記録媒体のうち記録速度の速い記録媒体にデータを記録するように記録媒体を選択することを特徴とする。
【００１８】
動画記録や連写など高速性が要求されるモードが選択された場合には、高速書き込みが可能な記録媒体を選択して、これにデータを記録する態様が好ましい。
【００１９】
【発明の実施の形態】
以下添付図面に従って本発明に係る電子カメラの好ましい実施の形態について詳説する。
【００２０】
図１は本発明の実施形態に係る電子カメラの構成を示すブロック図である。同図に示したカメラ１０は、被写体の光学像をデジタル画像データに変換して記録媒体に記録するデジタルカメラであり、静止画の記録再生機能及び音声付き動画の記録再生機能を具備している。
【００２１】
カメラ１０全体の動作は、カメラ内蔵の中央処理装置（ＣＰＵ）１２によって統括制御される。  ＣＰＵ１２は、所定のプログラムに従って本カメラシステムを制御する制御手段として機能するとともに、自動露出（ＡＥ）演算、自動焦点調節（ＡＦ）演算など各種演算を実施する演算手段として機能する。
【００２２】
ＣＰＵ１２はバス１４を介してメモリ制御回路１６と接続されており、該メモリ制御回路１６はバス１８を介してＲＯＭ２０及びメモリ（ＳＤＲＡＭ）２２と接続されている。ＲＯＭ２０にはＣＰＵ１２が実行するプログラム及び制御に必要な各種データ等が格納されている。メモリ２２はプログラムの展開領域及びＣＰＵ１２の演算作業用領域として利用されるとともに、画像データや音声データの一時記憶領域として利用される。なお、不揮発性記憶手段であるＲＯＭ２０は書き換え不能なものであってもよいし、ＥＥＰＲＯＭのように書き換え可能なものでもよい。
【００２３】
カメラ１０にはユーザが各種の指令を入力するための操作手段３０が設けられている。操作手段３０は、画質モード設定操作部３１、記録画素数設定操作部３２、動画／静止画モード選択操作部３３、シャッターボタン３４、連写モード設定操作部３５などの各種操作部を含む。
【００２４】
画質モード設定操作部３１は、撮影した画像データの記録画質（ここでは、圧縮率）を設定するための操作手段である。本例のカメラ１０では、撮影の目的に合わせて、高画質（低圧縮率）  の「ＦＩＮＥ」，  標準画質の「ＮＯＲＭＡＬ」  ，高圧縮率の「ＢＡＳＩＣ  」という三種類の画質（記録圧縮率）を選択することができる。
【００２５】
記録画素数設定操作部３２は、撮影した画像データの記録画素数（画像サイズ）を設定するための操作手段である。本例のカメラ１０では、２８３２×２１２８（６Ｍ）、２０４８×１５３６（３Ｍ）、１２８０×  ９６０（１Ｍ）、６４０  ×  ４８０（ＶＧＡ）の何れかの記録画素数を選択できる。記録画質と記録画素数との組合せによって撮影画像のデータ量（ファイルサイズ）が変化する。
【００２６】
動画／静止画モード選択操作部３３は、動画の記録を行う「動画モード」と静止画の記録を行う「静止画モード」とを切り換えるための操作手段である。シャッターボタン３４は、撮影開始の指示を入力する操作手段であり、動画撮影においては録画開始（スタート）／停止（ストップ）ボタンとして機能し、静止画撮影においてはレリーズボタンとして機能する。シャッターボタン３４は、半押し時にＯＮするＳ１  スイッチと、全押し時にＯＮするＳ２  スイッチとを有する二段ストローク式のスイッチで構成されている。
【００２７】
連写モード設定操作部３５は、１回のシャッターボタン３４の押下操作によって静止画の連続撮影（連写）を実行する連写モードと、１回のシャッターボタン３４の押下操作によって１回の静止画撮影を実行する通常のモード（単写モード）とを切り換えるための操作手段である。
【００２８】
また、図には示されていないが、操作手段３０には、撮影モードと再生モードとを切り換えるためのモード選択手段、撮影倍率や再生倍率を変更するズーム操作手段、液晶モニタ４０にメニュー画面を表示させるメニューボタン、メニュー画面から所望の項目を選択する十字キー（カーソル移動操作手段）、選択項目の確定や処理の実行を指令するＯＫボタン、選択項目など所望の対象の消去や指示内容の取消し、或いは１つ前の操作状態に戻らせる指令を入力するキャンセルボタンなどの操作手段も含まれる。なお、操作手段３０の中には、プッシュ式のスイッチ部材、ダイヤル部材、レバースイッチなどの構成によるものに限らず、メニュー画面から所望の項目を選択するようなユーザインターフェースによって実現されるものも含まれている。
【００２９】
操作手段３０からの操作信号はＣＰＵ１２に入力される。ＣＰＵ１２は操作手段３０からの入力信号に基づいてカメラ１０の各回路を制御し、例えば、レンズ駆動制御、撮影動作制御、画像処理制御、画像データの記録／再生制御、液晶モニタ４０の表示制御などを行う。
【００３０】
液晶モニタ４０は、撮影時に画角確認用の電子ファインダーとして使用できるとともに、記録済み画像を再生表示する手段として利用される。また、液晶モニタ４０は、ユーザインターフェース用表示画面としても利用され、必要に応じてメニュー情報や選択項目、設定内容などの情報が表示される。なお、液晶ディスプレイに代えて、有機ＥＬなど他の方式の表示装置（表示手段）を用いることも可能である。
【００３１】
カメラ１０は、２つのメディアソケット（メディア装着部）４２、４４を有し、それぞれのメディアソケット４２、４４に異種の記録媒体４６、４８を装着することができる。記録媒体４６、４８の形態は特に限定されず、スマートメディア（商標）に代表される半導体メモリカード、マイクロドライブ（商標）に代表される可搬型の小型ハードディスク、磁気ディスク、光ディスク、光磁気ディスクなど種々の媒体を用いることができる。本発明の実施に際しては、メディアソケットの個数は特に限定されない。また、画像データを記録する手段はリムーバブルメディア（カメラ１０に対して着脱自在な構造の可搬型記録媒体）に限らず、カメラ１０に内蔵された記録媒体（内部メモリ）であってもよい。
【００３２】
本例では、第１のメディアソケット４２に装着される記録媒体４６として半導体メモリカードを用い、第２のメディアソケット４４に装着される記録媒体４８として可搬型の小型ハードディスクを用いるものとする。半導体メモリカードは小型ハードディスクと比較すると記録容量は少ないが、記録速度が速いという特徴がある。一方、可搬型の小型ハードディスクは記録容量が大きい反面、記録速度は遅い。
【００３３】
このような記録媒体４６、４８の特性を生かすように、本カメラ１０においては、記録に用いる記録媒体４６又は４８を自動的に選択する機能を備えている。カメラ１０のメディア選択機能については後述する。
【００３４】
２つのメディアソケット４２、４４はバス５０を介してメディアインターフェース（Ｉ／Ｆ）回路５２に接続されている。メディアＩ／Ｆ回路５２は、バス１４経由でＣＰＵ１２と接続されており、ＣＰＵ１２の指令に従い記録媒体４６、４８の読み書きに適した入出力信号の受渡しを行うために所要の信号変換を行う。
【００３５】
各メディアソケット４２、４４は、記録媒体４６、４８の装着の有無を検出するためのメディア検知端子（不図示）を有しており、記録媒体４６、４８の装着状態／未装着状態を示す検知信号はメディアＩ／Ｆ回路５２を経由してＣＰＵ１２に入力される。
【００３６】
また、カメラ１０はパソコンその他の外部機器と接続するための通信手段としてＵＳＢ通信回路５４を備えている。図示せぬＵＳＢケーブルを用いてカメラ１０と外部機器を接続することにより、外部機器との間でデータの受渡しが可能となる。もちろん、通信方式はＵＳＢに限らず、ＩＥＥＥ１３９４やＢｌｕｅｔｏｏｔｈ  その他の通信方式を適用してもよい。外部機器との間で通信を行う通信モードについては、カメラ１０が外部機器と通信接続されることにより、自動的に他のモード（静止画撮影モード／再生モード／動画モード）に優先して設定される。
【００３７】
次に、カメラ１０の撮影機能について説明する。
【００３８】
カメラ１０は、撮影レンズ５６とＣＣＤ固体撮像素子（以下、ＣＣＤという。）５８を備えている。撮影レンズ５６は単焦点レンズであってもよいし、ズームレンズのような焦点距離可変のものでもよい。
【００３９】
撮影モードが選択されるとＣＣＤ５８を含む撮像部に不図示の電源部から電力が供給され、撮影可能な状態になる。撮影レンズ５６を通過した光は、不図示の絞り機構によって光量が調節された後、ＣＣＤ５８の受光面に結像される。ＣＣＤ５８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５８は、各フォトダイオードの電荷蓄積時間（シャッタースピード）を制御する電子シャッター機能を有している。
【００４０】
ＣＰＵ１２は、パラレル入出力回路６０を介してドライバ回路６２に指令を送り、ＣＣＤ５８の電荷蓄積時間や電荷転送を制御する。なお、ＣＣＤ５８に代えてＭＯＳ型など他の方式の撮像素子を用いてもよい。
【００４１】
ＣＣＤ５８の受光面に結像された被写体像は、各フォトダイオードによって入射光量に応じた量の信号電荷に変換される。各フォトダイオードに蓄積された信号電荷は、ＣＰＵ１２の指令に従いドライバ回路６２から与えられる駆動パルスに基づいて信号電荷に応じた電圧信号（画像信号）として順次読み出される。
【００４２】
ＣＣＤ５８から出力された信号はアナログ処理部６４に送られ、ここで各画素ごとのＲ、Ｇ、Ｂ信号がサンプリングホールド（相関二重サンプリング処理）され、増幅された後、Ａ／Ｄ変換器６６に送られる。Ａ／Ｄ変換器６６は、順次入力するＲ、Ｇ、Ｂ信号をデジタル信号に変換して信号処理回路６８に出力する。
【００４３】
信号処理回路６８は、Ａ／Ｄ変換されたデジタル形式の画像データをＣＰＵ１２の指令に従って処理する。すなわち、信号処理回路５０は、同時化回路（単板ＣＣＤのカラーフィルタ配列に伴う色信号の空間的なズレを補間して色信号を同時式に変換する処理回路）、輝度・色差信号生成回路、ガンマ補正回路、輪郭補正回路、ホワイトバランス補正回路等を含む画像処理手段として機能するとともに音声処理手段として機能し、ＣＰＵ１２からのコマンドに従ってメモリ２２を活用しながら画像信号及び音声信号を処理する。
【００４４】
信号処理回路６８に入力されたＲＧＢの画像データは、信号処理回路６８において輝度信号（Ｙ信号）及び色差信号（Ｃｒ，Ｃｂ  信号）に変換されるとともに、ガンマ補正等の所定の処理が施される。信号処理回路６８で処理された画像データはメモリ２２に格納される。
【００４５】
撮像中の映像を液晶モニタ４０に出力する場合、メモリ２２から画像データが読み出され、バス１４を介して表示制御回路７０に送られる。表示制御回路７０は、入力された画像データを表示用の所定方式の信号（例えば、ＮＴＳＣ方式のカラー複合映像信号）に変換して液晶モニタ４０に出力する。
【００４６】
ＣＣＤ５８から出力される画像信号によってメモリ２２内の画像データが定期的に書き換えられ、その画像データから生成される映像信号が液晶モニタ４０に供給されることにより、撮像中の映像がリアルタイムに液晶モニタ４０に表示される。撮影者は、液晶モニタ４０に映出される映像（スルームービー画）によって撮影画角を確認できる。
【００４７】
静止画撮影モードにおいてシャッターボタン３４が押され、Ｓ１  スイッチがＯＮすると、ＣＰＵ１２はこれを検知してＡＥ及びＡＦ制御を行い、シャッターボタン３４の全押し（Ｓ２＝ＯＮ）を検知すると、記録用の画像を取り込むためのＣＣＤ露光及び読み出し制御を開始する。
【００４８】
すなわち、ＣＰＵ１２は、Ｓ１  ＝ＯＮに応動して取り込まれた画像データから焦点評価演算やＡＥ演算などの各種演算を行い、その演算結果に基づいて不図示のレンズ駆動用のモータを制御して撮影レンズ５６を合焦位置に移動させるとともに、図示せぬ絞り機構を制御する。そして、Ｓ２  ＝ＯＮに応動して、画像取得時の電荷蓄積時間を制御する。
【００４９】
こうして、取り込まれた画像データは、信号処理回路６８において輝度・色差信号変換処理（ＹＣ処理）その他の所定の信号処理を経た後、圧縮伸張回路７２に送られ、ここで所定の圧縮フォーマット（例えば、ＪＰＥＧ方式）  に従って圧縮される。圧縮された画像データは、メディアＩ／Ｆ回路５２を介して記録媒体４６又は４８に記録される。
【００５０】
動画／静止画モード選択操作部３３によって動画モードが選択されると、当該カメラ１０によって音声付き動画の記録が可能となる。シャッターボタン３４の押下（Ｓ２  ＝ＯＮ）によって録画動作がスタートし、もう一度シャッターボタン３４を押下（Ｓ１  ＝ＯＮ）すると動画記録作が停止する。なお、シャッターボタン３４を押下継続している期間中録画動作を行い、押下解除により録画を停止するようにしてもよい。
【００５１】
動画撮影時の音声は、カメラ１０に内蔵されたマイク７４によって検出され、その検出信号（音声信号）は、アンプ７６を介して増幅され、Ａ／Ｄ変換器７７によってデジタル信号に変換された後、信号処理回路６８に送られる。信号処理回路６８は入力された音声データを所定の信号形式に変換する。こうして生成された音声データは、画像データと共に圧縮伸張回路７２において圧縮処理され、メディアＩ／Ｆ回路５２を介して記録媒体４６又は４８に記録される。動画データは、例えば、モーション  ＪＰＥＧ  形式に従って記録される。
【００５２】
モーションＪＰＥＧ方式では、ＣＣＤ５８から取得した画像データを一旦、内部のメモリ２２に記憶した後、信号処理回路６８において輝度／色差信号に変換し、１画像内でＪＰＥＧ圧縮しながら、外部の記録媒体４６又は４８に一定のフレームレート（予め設定されているフレームレート）で静止画を連続的に保存していく。なお、動画のファイル形式はモーションＪＰＥＧに限定されず、ＭＰＥＧなど他のファイル形式を適用してもよい。ＭＰＥＧ方式の場合は、フレーム内圧縮及びフレーム間圧縮を行いながら外部の記録媒体４６又は４８に連続的に記録する。
【００５３】
操作手段３０によって再生モードが選択されると、記録媒体４６又は４８に記録されている最後の画像ファイル（最後に記録されたファイル）のデータが読み出される。最後の記録に係るファイルが静止画ファイルの場合、この読み出された画像ファイルの圧縮データは、圧縮伸張回路７２を介して非圧縮のＹＣ信号に伸張され、信号処理回路６８及び表示制御回路７０を介して表示用の信号に変換された後、液晶モニタ４０に出力される。これにより、当該ファイルの画像内容が液晶モニタ４０上に表示される。
【００５４】
再生対象ファイルが動画ファイルの場合には、動画の先頭フレームが代表画像として液晶モニタ４０に表示され、動画再生開始の指示を受け付ける画面になる。動画の先頭フレームが表示されている状態で操作手段３０から所定の操作を行い、動画再生を開始させると、動画ファイルの再生処理がスタートし、液晶モニタ４０に動画が表示されるとともに、信号処理回路６８において再生処理された音声データがＤ／Ａ変換器８０、アンプ８２を介してスピーカ８４に出力され、動画と同時に記録した音声も再生される。
【００５５】
静止画の一コマ再生中（動画の先頭フレーム表示中も含む。）に、十字キーの右キー又は左キーを操作することによって、再生対象のファイルを切り換えること（順送り／逆送り）ができる。コマ送りされた位置の画像ファイルが記録媒体４６又は４８から読み出され、上記と同様にして静止画像や動画が液晶モニタ４０に再生表示される。
【００５６】
次に、上記の如く構成されたカメラ１０におけるメディア選択機能について説明する。
【００５７】
２つの記録媒体４６、４８を同時に装着し得るデュアルスロット式のカメラ１０は、装着されている記録媒体４６、４８の特性と記録データの特徴とに応じて自動的に保存先の記録媒体４６、４８を切り換えるメディア選択機能を備えている。
【００５８】
図２にメディア選択機能を実現する第１の制御例に係るフローチャートを示す。ＣＰＵ１２は、まず、メディア検知信号を読み込み（ステップＳ１１０）、メディアスロット４２、４４に記録媒体４６、４８が装着されているか否かを確認する（ステップＳ１１２）。２つのメディアスロット４２、４４の何れにも記録媒体４６、４８が装着されていない場合には、記録媒体４６、４８が未装着であることを示すエラーメッセージを液晶モニタ４０に表示させる（ステップＳ１１４）。
【００５９】
ステップＳ１１２において、少なくとも１つの記録媒体４６、４８が装着されていると判定した場合には、ステップＳ１１６に進み、装着されている記録媒体の種別を認識する。
【００６０】
次いで、２種類の記録媒体４６、４８が同時に装着されているか否かを判定し（ステップＳ１１８）、２種類同時に装着されている場合には、それぞれの記録媒体４６、４８の記録容量を確認する（ステップＳ１２０）。ＣＰＵ１２は、メディアＩ／Ｆ回路を介して各記録媒体４６、４８にアクセスし、それぞれの空き容量を検出する。
【００６１】
その後、ＣＰＵ１２は記録モードの判別を行い（ステップＳ１３０）、選択されている記録モードに応じてデータ記録用の記録媒体４６又は４８を切り換える制御を行う（ステップＳ１４０、Ｓ１４２）。すなわち、動画／静止画モード選択操作部３３によって「動画モード」が選択されている場合には、２つの記録媒体４６、４８のうち記録容量の大きい媒体（本例では符号４８）にデータ（この場合、動画データ）を記録するように保存先メディアを設定する処理を行う（ステップＳ１４０）。
【００６２】
その一方、ステップＳ１３０のモード判別において、「静止画モード」が選択されている場合には、２つの記録媒体４６、４８のうち記録容量の小さい媒体（本例では符号４６）にデータ（この場合、静止画データ）を記録するように保存先メディアを設定する処理を行う（ステップＳ１４２）。
【００６３】
また、ステップＳ１１８において１種類の記録媒体４６又は４８のみが装着されていると判定した場合には、保存先を選択する余地がないため、装着されている記録媒体４６又は４８にデータを記録することになる（ステップＳ１５０）。
【００６４】
こうしてデータ保存先のメディアが自動決定された後は、シャッターボタン３４の押下に応動して撮影動作が実行され、取得した静止画データ又は動画データを自動決定された記録媒体４６又は４８に記録する処理が行われる。
【００６５】
図２で示した制御例によれば、動画を記録する際に空き容量の多い記録媒体４８を自動選択して記録するようにしたので、長時間の動画を記録することが可能となる。
【００６６】
図３は、動画撮影処理の流れを示したフローチャートである。動画モードに設定されている場合、ＣＰＵ１２はシャッターボタン３４からの信号入力を監視し、Ｓ１  スイッチがＯＮしたか否かの判定を行う（ステップＳ２１０）。ステップＳ２１０でＳ１  ＝ＯＮの指令が入力していないときには、ステップＳ２１０に戻り、ユーザからの撮影指示の入力を待機する。
【００６７】
ユーザによってシャッターボタン３４が押され、ステップＳ２１０においてＳ１  スイッチがＯＮすると、ＡＥ及びＡＦ処理を実施して（ステップＳ２１２）、Ｓ２  ＝ＯＮの入力を判定する（ステップＳ２１４）。ステップＳ２１４でシャッターボタン３４のＳ２  スイッチがＯＮしていない場合は、Ｓ１  が解除されたか否かを判定する（ステップＳ２１６）。
【００６８】
ステップＳ２１６でＳ１  が解除されていれば、ステップＳ２１０に戻り、撮影指示の入力受け付け状態になる。ステップＳ２１６でＳ１が解除されていなければステップＳ２１４に戻り、Ｓ２  ＝ＯＮの入力を待機する。ステップＳ２１４でＳ２  ＝ＯＮの入力が検出されると、記録用の動画撮影が実行される（ステップＳ２１８）。すなわち、ＣＣＤ５８の露光及び読み出し処理が実施され、取得された画像信号の処理が行われる（ステップＳ２１８）。
【００６９】
動画撮影中、ＣＰＵ１２はデータ保存先として選択されている記録媒体（例えば、図１の符号４８）の記録容量（空き容量）を監視しており、記録媒体４８の空き容量がなくなった状態（メディアフルの状態）に至ったか否かを判定する（ステップＳ２２０）。
【００７０】
録画開始直後は空き容量が存在しているので、ステップＳ２２０においてＮＯ判定となり、ステップＳ２２２に進む。ステップＳ２２２では、選択されている記録媒体４８に動画データを書き込む処理を実施する。
【００７１】
ステップＳ２２２の後は、ステップＳ２３０に進み、録画停止の指令であるＳ１スイッチの信号入力を判定する。ステップＳ２３０においてＳ１  スイッチからの信号入力がない場合には、ステップＳ２１８に戻り、動画記録を継続する。
【００７２】
やがて記録先の記録媒体４８の空き容量がなくなり、それ以上記録することができない状態に至ると、ステップＳ２２０においてＹＥＳ判定となり、ステップＳ２２４に進む。ステップＳ２２４では、別の記録媒体４６がカメラ１０に装着されているか否かを判定する。２つの記録媒体４６、４８が同時に装着されている場合には、残りの記録媒体４６に動画データを継続して記録することとし（ステップＳ２２６）、動画撮影を続ける。
【００７３】
ステップＳ２２６の後は、ステップＳ２３０に進み、ユーザからの動画記録停止の指示の入力を判定する。ステップＳ２３０においてＳ１  ＝ＯＮの信号入力がない場合には、ステップＳ２１８に戻り、動画撮影が継続される。
【００７４】
ステップＳ２３０においてＳ１＝ＯＮの信号が検出されると、動画撮影を終了する（ステップＳ２３２）。また、ステップＳ２２４において、別の記録媒体４６が装着されていない場合にも、ステップＳ２３２に進んで動画撮影を終了する。
【００７５】
撮影終了後は、ステップＳ２３４に進み、２つの記録媒体４６、４８に分かれて動画が記録されたか否かを判断する。分割記録が行われていなければ、本シーケンスを終了する（ステップＳ２５０）。
【００７６】
ステップＳ２３４において、分割記録が行われていると判断した場合には、これら２つの記録媒体４６、４８に分かれて記録されている動画データを再処理して一方の記録媒体（例えば、４８）に統合するか否かをユーザに問い合わせるメッセージを液晶モニタ４０に表示させる処理を行う（ステップＳ２３６）。動画データの統合（連結）処理の際には、圧縮率を高くしてデータ量を削減する処理が行われることになるため、その旨をユーザに告知するメッセージを表示し、処理の可否をユーザの判断に委ねるようになっている。
【００７７】
その後、メッセージの表示中にユーザからの入力操作を受け付け、入力された指示に応じて処理が分岐する。ユーザは、所定の操作手順に従い、▲１▼連結記録の実行を容認するＯＫ入力を行うか、▲２▼一方の記録媒体４８に記録された途中までの動画データのみを保存する指令を入力するか、或いは▲３▼分割記録された動画データを全て削除する指令を入力するか、の何れかの入力操作を行うことができる。
【００７８】
すなわち、ＣＰＵ１２は、ユーザからのＯＫ入力の有無を判定し（ステップＳ２３８）、ＯＫ入力を検出した場合には、２つの記録媒体４６、４８に分割記録されている動画データについて圧縮率を高くして再処理を行い、一連の動画撮影で取得されたデータを１つの動画ファイルにまとめて一方の記録媒体４８に記録し直す処理を実行する（ステップＳ２４０）。
【００７９】
また、ステップＳ２３８においてＮＯ判定を得た場合には、ステップＳ２４２に進み、途中までの動画を記録する指令が入力されたか否かを判定する。ステップＳ２４２においてＹＥＳ判定を得た場合には、当初選択されていた記録媒体４８に記録された動画データ（動画の前半部分）をそのまま（圧縮率の変更なく）保存することとし、その記録媒体４８のメディアフル後に継続して別の記録媒体４６に記録した動画データ（動画の後半部分）を削除する処理を行う（ステップＳ２４４）。
【００８０】
ステップＳ２４２においてＮＯ判定を得た場合には、ステップＳ２４６に進み、分割記録された動画データの全削除の指令が入力されたか否かを判定する。ステップＳ２４６でＹＥＳ判定を得た場合には、両方の記録媒体４６、４８に分割記録されたデータをともに削除する処理を行う（ステップＳ２４８）。ステップＳ２４６でＮＯ判定を得た場合には、ステップＳ２３８に戻り、ユーザからの入力操作を待機する。
【００８１】
ユーザの選択に応じた処理（ステップＳ２４０、Ｓ２４４、又はＳ２４８）を実行した後は、本シーケンスを終了する（ステップＳ２５０）。
【００８２】
図３で説明したように、動画記録中に一方の記録媒体４８の空き容量がなくなったときに、別の記録媒体４６に継続して動画記録を行い、記録後に１つの動画データにまとめて１つの記録媒体４８に保存できるようにしたので、メディアフルに伴う動画撮影の中断を回避でき、貴重な撮影チャンスを逃さずに撮影することが可能である。
【００８３】
図３は動画の記録について述べたが、連写モードによる静止画の連続記録についても図３と同様の制御を適用できる。すなわち、連写撮影中に一方の記録媒体の空き容量がなくなったときに、別の記録媒体に継続して記録を行い、記録後に一連の連写撮影に係るデータを高圧縮率で再処理して１つの記録媒体４８にまとめて保存することが可能である。
【００８４】
図４はメディア選択機能を実現する第２の制御例に係るフローチャートである。図４中図２と共通する工程には同一のステップ番号を付し、その説明は省略する。
【００８５】
図４の例では、ステップＳ１２０で各記録媒体４６、４８の記録容量を確認した後に、ステップＳ１３１に進み、画質モードの判別を行う。カメラ１０は、ユーザの撮影目的に合わせて記録画質（圧縮率）と記録画素数（画像サイズ）の組合せを選択することができる。指定される記録画質と記録画素数の条件に応じて記録データのファイルサイズが変化するため、ファイルサイズの大きい条件（高画素かつ低圧縮率）が選択されている場合には、空き容量の多いメディアを選択して記録するようになっている。
【００８６】
つまり、ステップＳ１３１で高画質モード（本例において「ＦＩＮＥ」）が選択されている場合には、ステップＳ１３２に進んで記録画素数が高画素に設定されているか否かの判定を行う。「高画素」の判定基準は適宜設定可能であるが、本実施形態では、例えば、２０４８×１５３６（３Ｍ）ピクセル以上の画像サイズが選択されているときに「高画素」であると判定される。
【００８７】
ステップＳ１３１において、ＹＥＳ判定を得た場合には、ステップＳ１４０に進み、２つの記録媒体４６、４８のうち記録容量の大きい媒体（本例では符号４８）に撮影したデータを記録するように保存先メディアを設定する処理を行う（ステップＳ１４０）。
【００８８】
その一方、ステップＳ１３１で相対的に低い画質モード（本例において、「ＮＯＲＭＡＬ」又は「ＢＡＳＩＣ  」）  が選択されている場合、及びステップＳ１３２においてＮＯ判定を得た場合には、ステップＳ１４２に進み、２つの記録媒体４６、４８のうち記録容量の小さい媒体（本例では符号４６）にデータを記録するように保存先メディアを設定する処理を行う（ステップＳ１４２）。
【００８９】
図４で示した制御例によれば、ファイルサイズの大きな画像データ（低圧縮かつ高画素のデータ）を記録する際に空き容量の多い記録媒体４８を自動選択して記録するようにしたので、小容量の記録媒体４６に記録する場合と比較して、数多くの高品質画像を記録することが可能となる。
【００９０】
図５はメディア選択機能を実現する第３の制御例に係るフローチャートである。図５中図２と共通する工程には同一のステップ番号を付し、その説明は省略する。
【００９１】
図５の例では、ステップＳ１１８において２種類の記録媒体４６、４８が同時に装着されていると判定した場合に、ステップＳ１２２に進み、それぞれの記録媒体４６、４８の記録速度を確認する。記録速度は、記録媒体４６、４８の種類よって異なるため、記録媒体４６、４８の種別認識（ステップＳ１１６）の結果に基づいて判断できる。
【００９２】
ステップＳ１２２の後、ＣＰＵ１２は記録モードの判別を行い（ステップＳ１３４）、選択されている記録モードに応じてデータ記録用の記録媒体４６又は４８を切り換える制御を行う（ステップＳ１６０、Ｓ１６２）。すなわち、ステップＳ１３４のモード判別において、「動画モード」或いは「連写モード」などの高速性を要求されるモードが選択されているときには、２つの記録媒体４６、４８のうち、より高速なデータ書き込みが可能な記録媒体（本例では、半導体メモリカードである符号４６）に画像データを記録するように保存先メディアを設定する処理を行う（ステップＳ１６０）。
【００９３】
その一方、ステップＳ１３４において、「単写モード」など高速性を要求されないモードが選択されているときには、２つの記録媒体４６、４８のうち比較的記録速度の遅い記録媒体（本例では、小型ハードディスクである符号４８）に画像データを記録するように保存先メディアを設定する処理を行う（ステップＳ１６２）。
【００９４】
図６はメディア選択機能を実現する第４の制御例に係るフローチャートである。図６は、図５で説明した第３の制御例の変形例であり、図５のステップＳ１３４からステップＳ１６０に至るまでの間にステップＳ１５２〜ステップＳ１５８（図６参照）を付加したものとなっている。なお、図６中図５と共通の部分には同一のステップ番号を付し、その説明は省略する。
【００９５】
図６によれば、ステップＳ１３４のモード判別において「動画モード」或いは「連写モード」などの高速性を要求されるモードが選択されているときには、ステップＳ１５２に進み、記録速度の速い記録媒体４６に記録されている内容を別の大容量かつ記録速度の遅い記録媒体４８に転送する処理を行う。こうして、撮影前に高速記録可能な記録媒体４６の空き容量を確保し、動画や連写などの撮影に備える。
【００９６】
この場合、転送処理中にユーザが記録媒体４６、４８の着脱を行わないように、警告を表示させる（ステップＳ１５４）。警告表示手段としては、例えば、液晶モニタ４０に警告メッセージや警告マークなどを表示させる態様、不図示の警告ランプを点灯又は点滅させる態様などがある。
【００９７】
ＣＰＵ１２は、転送処理の進捗状況を監視し、転送処理が完了したか否かを判定する（ステップＳ１５６）。ステップＳ１５６において転送未了と判定した場合にはステップＳ１５４に戻り、警告表示の状態を継続する。
【００９８】
ステップＳ１５６において転送完了が確認されると、警告表示を解除して撮影を許可する（ステップＳ１５８）。こうして、記録速度の速い記録媒体４８に画像データを記録するように保存先メディアが設定される（ステップＳ１６０）。
【００９９】
なお、図２乃至図６で説明した制御例を適宜組み合わせる態様も可能であるし、何れかの制御方式をユーザが選択できる構成にしてもよい。
【０１００】
本発明の適用範囲は上述した実施の形態に限定されず、カメラ付き携帯電話機、カメラ付きＰＤＡ、カメラ付きモバイルパソコンなど、電子撮像機能を備えた他の情報機器についても本発明を適用できる。この場合、撮像部は携帯電話機等の本体から分離可能な着脱式（外付けタイプ）のものであってもよい。
【０１０１】
【発明の効果】
以上説明したように本発明に係る電子カメラよれば、カメラに同時搭載される複数の記録媒体の特性及び記録データの特徴に応じて、記録媒体を自動選択する構成にしたので、ユーザが意識することなく、各記録媒体のメリットを生かしてデータを記録することが可能となる。これにより、カメラの性能を十分に引き出すことができる。
【図面の簡単な説明】
【図１】本発明の実施形態に係る電子カメラの構成を示すブロック図
【図２】メディアの自動選択機能を実現する第１の制御例を示すフローチャート
【図３】本例のカメラにおける動画撮影処理の流れを示したフローチャート
【図４】メディアの自動選択機能を実現する第２の制御例を示すフローチャート
【図５】メディアの自動選択機能を実現する第３の制御例を示すフローチャート
【図６】メディアの自動選択機能を実現する第４の制御例を示すフローチャート
【符号の説明】
１０…カメラ、１２…ＣＰＵ、３１…画質モード設定操作部、３２…記録画素数設定操作部、３３…動画／静止画モード選択操作部、４４…シャッターボタン、３５…連写モード設定操作部、４０…液晶モニタ、４２，４４…メディアソケット、４６，４８…記録媒体、５２…メディアＩ／Ｆ回路、５８…ＣＣＤ
【図１】
2004229172.tif 000003
【図２】
2004229172.tif 000004
【図３】
2004229172.tif 000005
【図４】
2004229172.tif 000006
【図５】
2004229172.tif 000007
【図６】
2004229172.tif 000008